(57)【要約】【課題】この発明は、容易な構造でスラットの開閉の設定が可能であると共に、設定による開閉動作が安定しているブラインド装置を提供する。【解決手段】この発明は、複数のスラットと、該複数のスラットを垂直方向に所定の間隔で吊り下げて所定の開口部に配置する吊下手段と、前記複数のスラットを上下移動させて前記開口部を開閉するブラインド開閉手段と、前記スラットを回転させて前記開口部の開閉動作を行うスラット開閉手段とを少なくとも具備するブラインド装置において、前記スラットの各々には、該スラットを閉位置に固定して前記スラット開閉手段の開閉動作を無効にする開閉無効手段を具備したことにある。【選択図】  図３
2008214931.tif 000002
【特許請求の範囲】
【請求項１】
複数のスラットと、該複数のスラットを垂直方向に所定の間隔で吊り下げて所定の開口部に配置する吊下手段と、前記複数のスラットを上下移動させて前記開口部を開閉するブラインド開閉手段と、前記スラットを回転させて前記開口部の開閉動作を行うスラット開閉手段とを少なくとも具備するブラインド装置において、
前記スラットの各々には、該スラットを閉位置に固定して前記スラット開閉手段の開閉動作を無効にする開閉無効手段を具備したことを特徴とするブラインド装置。
【請求項２】
前記吊下手段は、前記スラットの短手方向両側に併設された複数のラダーコードと、前記スラットの短手方向に対峙するラダーコードを架橋し、前記スラットが載置される複数の横糸とによって構成され、
前記ブラインド開閉手段は、前記スラットの最下端に設けられる上下移動ボックスと、前記スラットを貫通して前記上下移動ボックスに固定される昇降コードと、該昇降コードを所定の位置に保持可能な保持手段とによって構成され、
前記スラット開閉手段は、前記スラットの短手方向に対峙して配された少なくとも一対のラダーコードを相対的に上下に移動させる移動手段によって構成されることを特徴とする請求項１記載のブラインド装置。
【請求項３】
前記開閉無効手段は、前記スラットの各々に設けられた噛合手段と、前記昇降コードに設けられた被噛合手段とによって構成されることを特徴とする請求項２記載のブラインド装置。
【請求項４】
前記噛合手段は、前記スラットから突出した部位に形成された掴み部及び前記スラットに摺動自在に挟持された保持部によって構成された噛合スイッチであり、前記被噛合手段は、前記昇降コードに所定の間隔で配置された移動阻止部であることを特徴とする請求項３記載のブラインド装置。
【請求項５】
前記噛合手段は、前記スラットの前記昇降コードと対応する位置に形成された引っ掛け部であり、前記被噛合手段は、前記昇降コードに所定の間隔で配置された移動阻止部であることを特徴とする請求項３記載のブラインド装置。
【請求項６】
前記開閉無効手段は、前記スラットの各々に設けられた噛合手段と、前記昇降コードに平行に延出する専用コードに設けられた被噛合手段とによって構成されることを特徴とする請求項２記載のブラインド装置。
【請求項７】
前記噛合手段は、前記スラットから突出する掴み部及び前記スラットに摺動自在に挟持された保持部によって構成された噛合スイッチであり、前記被噛合手段は、前記専用コードに所定の間隔で形成された係合部であることを特徴とする請求項６記載のブラインド装置。
【請求項８】
前記噛合スイッチは、前記スラットの長手方向に沿った側辺の一方に設けられ、前記専用コードは、前記噛合スイッチに対峙する位置で前記スラットを貫通するように配されることを特徴とする請求項７記載のブラインド装置。
【請求項９】
前記係合部は、前記専用コードに所定の間隔で形成された移動阻止部であることを特徴とする請求項８記載のブラインド装置。
【請求項１０】
前記係合部は、前記専用コードに所定の間隔で形成された穴部であることを特徴とする請求項８記載のブラインド装置。
【請求項１１】
前記噛合スイッチは、前記スラットの長手方向両端部の短手方向側辺に沿って移動可能な保持部及び該保持部から延出する鉤部によって構成され、前記専用コードは、前記それぞれのスラットの長手方向端部に配され、前記係合部は前記専用コードに沿って所定の間隔で形成された複数の小環部であることを特徴とする請求項７記載のブラインド装置。
【請求項１２】
前記専用コードは、独立して上下動作可能であり、これによって前記噛合スイッチのオンオフを司ることを特徴とする請求項７〜１１のいずれか一つに記載のブラインド装置。
【請求項１３】
前記開閉無効手段は、前記スラットの各々に形成され、前記横糸に噛合する引っ掛け部を有する噛合手段と、前記被噛合手段としての横糸の所定の位置に形成された移動阻止部とによって構成されることを特徴とする請求項２記載のブラインド装置。
【発明の詳細な説明】
【技術分野】
【０００１】
この発明は、複数のスラットと、前記複数のスラットを垂直方向に所定の間隔で吊り下げる吊下手段と、前記スラットを回転させて所定の面を開閉するブラインド装置に関する。
【背景技術】
【０００２】
特許文献１は、採光する位置を鉛直方向に選択することを可能にし、しかも採光部分と遮光部分との境界を自由に設定可能にすることを目的として、一対の縦糸と、該縦糸間を連結する複数の横糸とからなる複数本のラダーコードをヘッドボックスから鉛直方向に垂下し、これらラダーコードの横糸状に水平方向に延長する複数枚のスラットを互いに平行に保持し、前記ラダーコードの操作によって前記スラットを旋回させて開閉を行うようにしたブラインドにおいて、前記各スラットのラダーコード近傍位置に開口部を設けると共に、前記ヘッドボックスから引き上げ操作自在の引き糸を前記スラットの開口部内に挿入し、その下端を前記ラダーコードの任意の高さ位置で前記一対の縦糸のいずれか一方に連結自在に構成したものを開示する。
【０００３】
この特許文献１に開示される発明では、ヘッドボックスから引き上げ操作自在の引き糸をラダーコードに沿って垂下し、その下端をラダーコードの任意の高さ位置で一対の縦糸のいずれか一方に連結することにより、ラダーコードの操作によってブラインド全体としての開閉を行う一方で、前記引き糸の引き上げ操作によって前記任意の高さ位置より下側のスラットだけを部分的に開閉することが可能となるものである。
【０００４】
特許文献２は、上部スラット群と下部スラット分とが異なるスラット角度をとることができ、それぞれが確実に所望のスラット角度を取ることができるブラインドを提供するものであり、ヘッドボックス内に配置されると共に多数のスラット列を整列状態に支持するラダーコードの一端が連結される回転軸を回転駆動し、その回転軸の回転により前記ラダーコードを介してスラット角度を可変としたブラインドにおいて、多数のスラット列が上部スラット群と下部スラット群とから構成され、ラダーコードが、上部スラット群を支持する上部用ラダーコードと、下部スラット群を支持する下部用ラダーコードとから構成され、上部スラット群及び／若しくは下部スラット群のスラット角度が異なる角度を取り得るように、上部用ラダーコードの上端と下部用ラダーコードの上端がそれぞれ前記共通の回転軸に連結されることを開示する。
【特許文献１】特開２０００−３３７０５１号公報
【特許文献２】特開２００６−２８３３２１号公報
【発明の開示】
【発明が解決しようとする課題】
【０００５】
上述した特許文献から明らかなように、ブラインドにおいて、部分的に開閉可能とすることは、採光及び／若しくは遮光の決めの細かい調整が可能となり、さらにそのデザイン性の向上によって所望されているが、反面、開閉可能なスラットの容易な設定、動作の安定性等に対する要求が高いという問題点がある。
【０００６】
このため、この発明は、容易な構造でスラットの開閉の設定が可能であると共に、設定による開閉動作が安定しているブラインド装置を提供することにある。
【課題を解決するための手段】
【０００７】
したがって、この発明は、複数のスラットと、該複数のスラットを垂直方向に所定の間隔で吊り下げて所定の開口部に配置する吊下手段と、前記複数のスラットを上下移動させて前記開口部を開閉するブラインド開閉手段と、前記スラットを回転させて前記開口部の開閉動作を行うスラット開閉手段とを少なくとも具備するブラインド装置において、前記スラットの各々には、該スラットを閉位置に固定して前記スラット開閉手段の開閉動作を無効にする開閉無効手段を具備したことにある。
【０００８】
また、前記吊下手段は、前記スラットの短手方向両側に併設された複数のラダーコードと、前記スラットの短手方向に対峙するラダーコードを架橋し、前記スラットが載置される複数の横糸とによって構成され留ことが望ましい。さらに、前記ブラインド開閉手段は、前記スラットの最下端に設けられる上下移動ボックスと、前記スラットを貫通して前記上下移動ボックスに固定される昇降コードと、該昇降コードを所定の位置に保持可能な保持手段とによって構成され留ことが望ましい。さらにまた、前記スラット開閉手段は、前記スラットの短手方向に対峙して配された少なくとも一対のラダーコードを相対的に上下に移動させる移動手段によって構成されることが望ましい。
【０００９】
また、前記開閉無効手段は、前記スラットの各々に設けられた噛合手段と、前記昇降コードに設けられた被噛合手段とによって構成されることが望ましい。この場合、前記噛合手段は、前記スラットから突出した部位に形成された掴み部及び前記スラットに摺動自在に挟持された保持部によって構成された噛合スイッチであり、前記被噛合手段は、前記昇降コードに所定の間隔で配置された移動阻止部であることが望ましい。さらに、前記噛合手段は、前記スラットの前記昇降コードと対応する位置に形成された引っ掛け部であり、前記被噛合手段は、前記昇降コードに所定の間隔で配置された移動阻止部であるものであっても良い。尚、前記掴み部は凹部であり、前記移動阻止部は、前記昇降コードに所定の間隔で配置された大径部（太部）であることが望ましい。
【００１０】
さらにまた、前記開閉無効手段は、前記スラットの各々に設けられた噛合手段と、前記昇降コードに平行に延出する専用コードに設けられた被噛合手段とによって構成されることが望ましい。この場合、前記噛合手段は、前記スラットから突出する掴み部（凸部）及び前記スラットに摺動自在に挟持された保持部によって構成された噛合スイッチであり、前記被噛合手段は、前記専用コードに所定の間隔で形成された係合部であることが望ましい。さらに、前記噛合スイッチは、前記スラットの長手方向に沿った側辺の一方に設けられ、前記専用コードは、前記噛合スイッチに対峙する位置で前記スラットを貫通するように配されるものであることが望ましい。さらに、前記係合部は、前記専用コードに所定の間隔で形成された引っ掛け小環部であるものであっても良く、前記係合部は、前記専用コードに所定の間隔で形成された穴部であっても良いものである。
【００１１】
また、前記噛合スイッチは、前記スラットの長手方向両端部の短手方向側辺に沿って移動可能な保持部及び該保持部から延出する鉤部によって構成され、前記専用コードは、前記それぞれのスラットの長手方向端部に配され、前記係合部は前記専用コードに沿って所定の間隔で形成された複数の小環部であることが望ましい。
【００１２】
さらに、前記専用コードは、独立して上下動作可能であり、これによって前記噛合スイッチのオンオフを司ることが望ましい。
【００１３】
さらにまた、前記開閉無効手段は、前記スラットの各々に形成され、前記横糸に噛合する凹部を有する噛合手段と、前記被噛合手段としての横糸の所定の位置に形成された移動阻止部とによって構成されることが望ましい。尚、前記移動阻止部は、横糸間に設けられた渡りであることが望ましいが、横糸上に設けられた大径部（太部）であっても良い。
【発明の効果】
【００１４】
以上のように、本発明によれば、それぞれのスラットにスラット開閉手段を無効にする開閉無効手段を設けたことによって、スラットの開閉動作時に、無効とされたスラットが閉鎖されたままとなることから、遮光状態を任意に設定できるものである。
【００１５】
また、前記作動無効手段を、前記スラットのそれぞれの回転中心を貫通し、前記スラットに対応する噛合スリットが形成される垂直リボンと、前記スラットの短手方向の一方の端に移動可能に設けられ、無効が要求される場合に所定位置に移動され、対応する前記垂直リボンの噛合スリットに噛合する噛合スイッチとによって構成したことによって、容易な構造で、スラットの回転を無効にすることが可能となるものである。
【００１６】
また、前記作動無効手段を、複数設けることによって、それぞれの作動無効手段によって無効とされたスラットを複合的に開閉することが可能となるため、きめの細かい制御が可能となるものである。
【発明を実施するための最良の形態】
【００１７】
以下、この発明の実施例について図面により説明する。図１及び図２に示すように、本願発明の実施例に係るブラインド装置１は、窓枠等の開口部９の上端に固定される上部支持ボックス２と、吊下手段としての昇降コードによって吊下される上下移動ボックス３と、前記上部支持ボックス２及び前記上下移動ボックス３の間に配される複数のスラット４と、前記上部支持ボックス２と上下移動ボックス３の間に延出し、それぞれのスラット４の短手方向両端を固定すると共に、スラット４の長手方向に所定の間隔でスラット前後に配されるラダーコード６と、前記昇降コードと直接的又は間接的に連結され、前記下部ボックス３を引き上げるための開閉コード５によって少なくとも構成される。また、本願発明のブラインド装置１は、それぞれのスラット４に、このスラット４を閉位置に固定してラダーコード６によるスラットの開閉動作を無効にする開閉無効手段を具備する。
【００１８】
図１（ａ）は、前記開閉コード５を引き下げることによって、昇降コードが前記上下移動ボックス３を引き上げることから、開口部９が全開された状態を示す。また、図１（ｂ）は、前記開閉コード５によって上下移動ボックス３を最下端まで下げ、前記ラダーコード６を上下に移動させてスラット４を全部略平行状態とし、前記開口部９を水平方向の開状態を形成したものである。さらに、図１（ｃ）は、前記ラダーコード６を操作することによってスラット４を略垂直状態とし、前記開口部９を全閉状態としたものである。
【００１９】
基本的に、図１（ｃ）の状態で、所望のスラット４の開閉無効手段を設定し、その後ラダーコード６を上下させて図１（ｂ）のような開状態とすると、開閉無効手段によって閉位置に固定されたスラット４は略垂直状態のままとなるため、図１（ｄ）又は図２（ａ）で示すような状態を得ることができる。言い換えると、開状態とした場合に、所望のスラット４だけを開くことができるようになるものである。
【００２０】
また、スラット４に複数の開閉無効手段を設けることが可能である。通常、それぞれのスラット４には、ラダーコード６又は昇降コードに対応して一対の開閉無効手段が設けられ、それぞれ動作を安定させるために、同様の設定がなされることが望ましいが、安定した動作が可能な機構を有する場合には、それぞれ別の設定を行うことも可能である。この場合、複数のスラット４の一方の開閉無効手段を図１（ｄ）となるように設定し、複数のスラット４の他方の開閉無効手段を図２（ａ）となるように設定した場合、ブラインド装置１を開状態とした場合、図２（ｂ）で示されるように、２つの状態が重なった開閉状態を得ることが可能となるものである。さらに、それぞれの開閉無効手段をオンオフする機構を設けた場合には、図１（ｄ）、図２（ａ）、図２（ｂ）の状態を選択して実施することが可能となるものである。
【実施例１】
【００２１】
図３及び図４に示すように、本願発明の実施例１に係るブラインド装置１は、開口部９の上部に固定される上部保持ボックス２と、上部保持ボックス２から移動可能に吊下する昇降コード７と、この昇降コード７によって移動可能に保持される上下移動ボックス３と、前記上部保持ボックス２と前記上下移動ボックス３の間を接続するラダーコード６と、前後に対応するラダーコード６の前後を鉛直方向に所定の間隔で架橋する複数の横糸８と、ラダーコード６間の横糸８上に載置され、前記昇降コード７が貫通する貫通孔９が形成された複数のスラット４と、それぞれのスラット４に配置される開閉無効機構とを具備する。
【００２２】
この実施例１において、開閉無効機構は、図４（ａ）及び図４（ｂ）で示されるように、前記スラット４の長手方向の沿った側辺４Ｂの前記昇降コード７に対応する位置に設けられる噛合スイッチ１０と、前記昇降コード７に所定の間隔で設けられた被噛合手段としての大径部１５とによって構成される。
【００２３】
前記噛合スイッチ１０は、スラット４から傾斜して突出し、噛合部（噛合凹部）１２が形成された突出部１１と、前記スラット４に支持ピン１４によって回転自在に保持された保持部１３とによって構成される。前記噛合スイッチ１０は、図４（ａ）の点線で示される位置、いわゆる横向きにされた場合、ＯＦＦ状態であり、実線で示される状態、いわゆる突出した状態となった場合、ＯＮ状態となる。これによって、スラット４が図１（ｂ）で示すように閉状態となった場合に昇降コード７を上に引き上げることによって、図４（ｃ）で示すように前記大径部１５が前記凹部１２に引っ掛かるため、前記スラット４は昇降コード７に固定される（開閉無効ＯＮ）。この状態で、前記スラット４が開状態に移行しても、このスラット４が昇降コード７に引っ掛かるため、このスラット４は閉状態を維持することとなる。
【００２４】
また、図４（ｃ）の状態において、前記昇降コード７を一端下方で下げることによって前記大径部１５が前記凹部１２から外れるため、前記スラット４は昇降コード７に対して自由な状態となる（開閉無効ＯＦＦ）。このため、ラダーコード６によってスラット４が開状態に移行した場合には、図４（ｂ）の状態となるものである。
【実施例２】
【００２５】
図５（ａ），（ｂ）で示す本願発明の実施例２は、前記噛合スイッチ１０に代えて、スラット４に切欠部１２Ａを設けて噛合スイッチとなる引っ掛け部１０Ａが形成される。また、被噛合手段として、前記昇降コード７に係合部としての小環部１５Ａが形成される。これによって、上述した実施例１と同様に、昇降コード７を引き上げた場合に、小環部１５Ａが前記引っ掛け部１０Ａに引っ掛かるため、前記スラット４が前記昇降コード７に対して固定される（開閉無効ＯＮ）。また、解除する場合には、昇降コード７を一端下方へ移動させる。これによって、スラット４は昇降コード７に対して自由となる（開閉無効ＯＦＦ）。
【実施例３】
【００２６】
図６及び図７で示すように、本願発明の実施例３に係る開閉無効機構は、スラット４のそれぞれに形成された貫通孔１６内に挿通される専用コード１７と、この専用コードとスラット４の短手方向に対応するスラット４の長手方向に沿った側辺４Ｂの所定位置に配される噛合スイッチ１０Ｂと、前記専用コード１７に沿って所定の間隔で配された被噛合手段としての引っ掛け小環１５Ｂとによって構成される。
【００２７】
また、前記噛合スイッチ１０Ｂは、前記スラット４から傾斜して延出する突出噛合部１２Ｂと、この突出噛合部１２Ｂをスラット４に摺動自在に保持する保持部１３Ｂと、噛合スイッチ１０Ｂの移動を制限する固定ピン１４Ｂによって構成される。尚、図７（ａ）で示すように、破線で示された噛合スイッチ１０ＢはＯＦＦ状態を、実線で示された噛合スイッチ１０ＢはＯＮ状態を示すものである。
【００２８】
以上の構成により、スラット４の短手方向前後に配された一対のラダーコード６が相対的に上下に移動することによってスラット４が閉状態となった段階で、前記専用コード１７を上方に引き上げることによって、前記噛合スイッチ１０Ｂの突出噛合部１２Ｂが前記引っ掛け小環１５Ｂ内に挿着されるので、前記スラット４は前記専用コード１７に固定され（開閉無効ＯＮ）、前記スラット４が開状態に移行しても閉状態を保持することとなる。また、前記専用コード１７を下方へ引き下げることによって前記引っ掛け小環１５Ｂが前記突出噛合部１２Ｂから外れるため、そのスラット４が前記専用コード１７から自由（開閉無効ＯＦＦ）となり、ラダーコード６の移動による開閉動作が可能となるものである。
【００２９】
図７（ｃ）は、前記専用コード１７に形成される引っ掛け小環１５Ｂの間隔を狭くした例を示したものである。また、専用コード１７の上下移動を可能にする機構が設けられる。
【００３０】
尚、この実施例３において、被噛合手段として専用コード１７に引っ掛け小環１５Ｂを設けるようにしたが、前記専用コード１７に沿って所定の間隔で噛合用スリット又は噛合用穴を形成するようにしても良いものである。
【実施例４】
【００３１】
図８で示す本願発明に係る実施例４は、前記スラット４の長手方向の端部に専用コード１７Ｃを設け、さらに噛合スイッチ１０Ｃを前記スラット４の短手方向の沿った側辺４Ａに摺動自在に設けたことを特徴とするものである。
【００３２】
この実施例４に係る噛合スイッチ１０Ｃは、前記スラット４の短手方向の沿った側辺４Ａに摺動自在に保持された保持部１３Ｃと、この保持部１３Ｃの一端に形成された鉤部１２Ｃとによって構成される。また、前記専用コード１７には、前記鉤部１２Ｃが噛合する小環部１５Ｃが所定の間隔で形成される。
【００３３】
以上の構成により、前記噛合スイッチ１０Ｃを前記スラット４の側辺４Ａの端に移動させて前記鉤部１２Ｃをスラット４から突出するように配した場合、開閉無効機構がＯＮ状態となり、前記専用コード１７Ｃを移動させて前記小環部１５Ｃに前記鉤部１２Ｃが引っ掛かることによってスラット４が専用コード１７Ｃに対して固定され、開閉無効ＯＮ状態となる。また、専用コード１７Ｃを下方に移動させて前記鉤部１２Ｃの引っ掛かりを無効とした場合、前記スラット４は前記専用コード１７Ｃに対して自由となり、開閉無効ＯＦＦ状態となる。
【実施例５】
【００３４】
図９で示す本願発明に係る実施例５の開閉無効機構は、噛合スイッチ１０Ｄとして前記スラット４の長手方向に沿った側辺４Ｂの横糸８に対応する部位に形成された噛合用凹部１２Ｄと、前記横糸８に設けられた移動阻止部１５Ｄとによって構成される。この実施例では、移動阻止部１５Ｄは、横糸間に設けられた渡りであるが、横糸上に大径部（太部）を設けても良いものである。
【００３５】
この構成により、前記噛合用凹部１２Ｄに横糸８を嵌め込むことによって移動阻止部１５Ｄにより、前記スラット４の移動は阻害されるので、前記スラット４は横糸８に対して固定（開閉無効ＯＮ）される。また、前記噛合凹部１２Ｄを横糸８から外すことによって、前記スラット４は自由（開閉無効ＯＦＦ）となり、ラダーコード６の移動により開閉動作することが可能となる。
【図面の簡単な説明】
【００３６】
【図１】本願発明に係るブラインド装置の作動状態を示した概略図である。
【図２】本願発明に係るブラインド装置の作動状態を示した概略図である。
【図３】本願発明の実施例１に係るブラインド装置の概略構成図である。
【図４】本願発明の実施例１に係る開閉無効機構を説明するために説明図である。
【図５】本願発明の実施例２に係る開閉無効機構を説明するために説明図である。
【図６】本願発明の実施例３に係るブラインド装置の概略構成図である。
【図７】本願発明の実施例３に係る開閉無効機構を説明するために説明図である。
【図８】本願発明の実施例４に係る開閉無効機構を説明するために説明図である。
【図９】本願発明の実施例５に係る開閉無効機構を説明するために説明図である。
【符号の説明】
【００３７】
１  ブラインド装置
２  上部支持ボックス
３  上下移動ボックス
４  スラット
５  開閉ロープ
６  ラダーコード
７  昇降コード
８  横糸
９  貫通孔
１０，１０Ａ，１０Ｂ，１０Ｃ，１０Ｄ  噛合スイッチ
１７，１７Ｃ  専用コード
【図１】
2008214931.tif 000003
【図２】
2008214931.tif 000004
【図３】
2008214931.tif 000005
【図４】
2008214931.tif 000006
【図５】
2008214931.tif 000007
【図６】
2008214931.tif 000008
【図７】
2008214931.tif 000009
【図８】
2008214931.tif 000010
【図９】
2008214931.tif 000011